(57)【要約】【課題】  宝石を揺動自在としながらも、不用意に外れて紛失したりするような事態を防ぐことが可能な装飾具を提供する。【解決手段】  装飾具本体１に形成された互いに対向する一対の壁部２Ａ間に、宝石３を保持部材４に保持して揺動自在に取り付ける。保持部材４には、宝石３が着座させられる環状の取付部４Ａと、この取付部４Ａに着座させられた宝石３を挟み込むように対向して把持する一対の爪部４Ｂと、一対の壁部２Ａにそれぞれ連結されて保持部材４を装飾具本体１に揺動可能に支持する一対の連結部４Ｃとを一体に形成し、一対の爪部４Ｂが宝石３を挟み込む方向を、取付部４Ａがなす環の中心線Ｏ方向から見て一対の連結部４Ｃ同士を結ぶ仮想線Ｍと略直交する方向とする。【選択図】        図２
2007061351.tif 000002
【特許請求の範囲】
【請求項１】
装飾具本体に形成された互いに対向する一対の壁部間に、宝石が保持部材に保持されて揺動自在に取り付けられた装飾具であって、
上記保持部材には、上記宝石が着座させられる環状の取付部と、この取付部に着座させられた上記宝石を挟み込むように対向して把持する少なくとも一対の爪部と、上記一対の壁部にそれぞれ連結されて該保持部材を上記装飾具本体に揺動可能に支持する一対の連結部とが一体に形成されており、
上記少なくとも一対の爪部が上記宝石を挟み込む方向が、上記取付部がなす環の中心線方向から見て上記一対の連結部同士を結ぶ仮想線と略直交する方向とされていることを特徴とする装飾具。
【請求項２】
上記保持部材には、該保持部材に保持された上記宝石の下面部側に重り部が設けられていて、この宝石を保持した上記保持部材の重心が、上記仮想線よりも上記下面部側に位置していることを特徴とする請求項１に記載の装飾具。
【発明の詳細な説明】
【技術分野】
【０００１】
本発明は、宝石が取り付けられた指輪、ネックレス、ブローチ、ブレスレット等の装飾具に関するものである。
【背景技術】
【０００２】
このような装飾具として、特許文献１には、リング状の支持部材に二つの突起を設けて中央にネジで宝石枠を挟み込むように固定した指輪が提案されている。この宝石枠の上下には先の尖った突起が設けられており、これらの突起によって宝石枠をネジに点で支えることで摩擦抵抗を押さえることにより、宝石部分の正面が指の傾斜角度に関係なく重力作用で常に上部にあり、また僅かな振動でも左右に揺れ続けるようにされている。
【特許文献１】特開平２００２−１４２８１７号公報
【発明の開示】
【発明が解決しようとする課題】
【０００３】
ところで、この特許文献１に記載されたように、二つの突起に設けたネジで宝石枠を挟み込むように固定する場合、上述のように宝石の正面が常に上部を向いて、しかも僅かな振動でも宝石枠が揺れ続けるようにするには、ネジによる挟み込み力をあまり大きくすることはできない。
【０００４】
しかしながら、このネジによる挟み込み力が小さいと、不用意に宝石や宝石枠を支持部材側に押し付けたり、あるいは逆に支持部材から引っ張ったりしただけでも宝石が枠ごと支持部材から外れてしまい、場合によっては高価な宝石を紛失してしまうおそれがある。また、単に宝石枠の突起をネジで支持しただけでは、上述のように僅かな振動でも左右に揺れ続ける宝石枠を、宝石の正面が常に上部を向くようにするのは困難ともなる。
【０００５】
本発明は、このような背景の下になされたもので、宝石を揺動自在としながらも、不用意に外れて紛失したりするような事態を防ぐことができ、また、より確実に宝石の上面部が上向きとなるように保持することが可能な装飾具を提供することを目的としている。
【課題を解決するための手段】
【０００６】
上記課題を解決して、このような目的を達成するために、本発明は、装飾具本体に形成された互いに対向する一対の壁部間に、宝石が保持部材に保持されて揺動自在に取り付けられた装飾具であって、上記保持部材には、上記宝石が着座させられる環状の取付部と、この取付部に着座させられた上記宝石を挟み込むように対向して把持する少なくとも一対の爪部と、上記一対の壁部にそれぞれ連結されて該保持部材を上記装飾具本体に揺動可能に支持する一対の連結部とを一体に形成し、上記少なくとも一対の爪部が上記宝石を挟み込む方向を、上記取付部がなす環の中心線方向から見て上記一対の連結部同士を結ぶ仮想線と略直交する方向としたことを特徴とする。
【０００７】
また、本発明はさらに、上記保持部材に、該保持部材に保持された上記宝石の下面部側に重り部を設けて、この宝石を保持した上記保持部材の重心を、上記仮想線よりも上記下面部側に位置させたことをも特徴とする。
【発明の効果】
【０００８】
このように構成された本発明の装飾具においては、宝石や保持部材を不用意に押し付けたり引っ張ったりすると、宝石を保持した保持部材は、装飾具本体の一対の壁部にそれぞれ連結された上記一対の連結部が上記仮想線方向に互いに離れる向きに引っ張られるように力を受け、これに伴い環状の取付部にも、この取付部がなす環の中心線方向から見て環が上記仮想線方向に延びるように、すなわち該仮想線と略直交する方向には取付部が扁平して環の径が縮まるように応力が作用する。
【０００９】
ところが、この取付部の上記仮想線と直交する方向には、少なくとも一対の爪部が上記宝石を挟み込むように設けられているので、このような応力が作用することによって宝石は爪部に強く挟み込まれ、より強固に保持部材に保持されることになる。従って、本発明の装飾具によれば、上記連結部によって保持部材を宝石ごと揺動可能に支持することにより、その装飾性の向上を図っても、これら宝石や保持部材を押し付けたり引っ張ったりしただけでは容易に宝石が外れるようなことがなく、高価な宝石を紛失してしまったりするのを防ぐことができる。
【００１０】
また、上述のように保持部材にさらに重り部を設けて、宝石を保持した保持部材の重心を上記仮想線よりも宝石の下面部側に位置させるようにすれば、保持部材は揺動しながらも、この重り部が設けられた宝石の下面部側を下向きにするようにして装飾具本体の一対の壁部間に支持される。従って、これにより、装飾具本体の姿勢に関わらず、装飾性の高い宝石の上面部がより確実に上向きとなるように保持部材を支持することができ、この宝石が揺動自在とされることとも相俟って、多くの人の目を惹きつけ得る装飾具を提供することが可能となる。
【発明を実施するための最良の形態】
【００１１】
図１ないし図５は、本発明を指輪に適用した場合の一実施形態を示すものである。すなわち、本実施形態において装飾具本体１は、指に嵌め入れられる大きさのリング状であって、その外周縁部の一部には凹部２が形成され、この凹部２の装飾具本体１周方向を向いて互いに対向する一対の壁部２Ａ間に、宝石３が保持部材４によって保持されて揺動自在に取り付けられている。なお、この装飾具本体１は、特に当該装飾具が本実施形態のように指輪である場合には、プラチナや金、銀等の貴金属によって形成される。
【００１２】
上記宝石３としては各種のものが保持可能であるが、例えば図示の宝石３はダイヤモンドであって、一般にカッティングが施された装飾性の高い概略円錐台状の上面部３Ａと、この上面部３Ａから下向きに先細りとなる概略円錐状の下面部３Ｂとを備えており、これら上下面部３Ａ，３Ｂの境界部３Ｃにおける外径が、当該宝石３の最大外径となる。
【００１３】
このような宝石３を保持する保持部材４は、上記宝石３が着座させられる環状の取付部４Ａと、この取付部４Ａに着座させられた上記宝石３を挟み込むように対向して把持する少なくとも一対の爪部４Ｂと、装飾具本体１の上記一対の壁部２Ａにそれぞれ連結されてこの保持部材４を装飾具本体１に揺動可能に支持する一対の連結部４Ｃとを備えている。さらに、本実施形態では、上記取付部４Ａに着座させられて爪部４Ｂにより把持された宝石３の下面部３Ｂ側に位置するように、この保持部材４に重り部４Ｄも設けられており、これら取付部４Ａ、爪部４Ｂ、連結部４Ｃ、および重り部４Ｄが、装飾具本体１と同様の貴金属、より望ましくは傷のつき難いハードプラチナによって一体に形成されている。
【００１４】
ここで、上記取付部４Ａは、宝石３の境界部３Ｃにおける上記最大外径よりも僅かに小さな内径を有して図中に破線で示した中心線Ｏを中心とする円環状とされている。また、爪部４Ｂは細くて小さいピン状のものであって、この取付部４Ａの外周から外側に斜め上向きに延びた後に折れ曲がって内側に斜め上向きに延びる「く」字形に形成されており、本実施形態では取付部４Ａがなす円環の上記中心線Ｏを通る一の直径線Ｌ（図中に一点鎖線で示す）と該円環との交点部分に位置するように一対の爪部４Ｂが設けられて、この一の直径線Ｌ方向に互いに内側（中心線Ｏ側）を向くように対向させられている。
【００１５】
このような保持部材４に、宝石３は、上記爪部４Ｂを外側に開いた状態で、その下面部３Ｂを下向きにして取付部４Ａに上側から挿入されることにより、この下面部３Ｂが取付部４Ａ内周に当接して着座させられ、次いで爪部４Ｂを内側に閉じることにより、上述のように「く」字形をなす爪部４Ｂによって下面部３Ｂから境界部３Ｃ、および上面部３Ａ外周の下側（境界部３Ｃ側）部分が掛け止められ、上記一の直径線Ｌ方向に挟み込まれるように把持されて保持される。
【００１６】
さらに、上記連結部４Ｃは、本実施形態では取付部４Ａがなす円環よりも極小さな径の円環状とされて、例えばこのような小径の丸カンを取付部４Ａの外周にレーザーろう付けによって接合することにより、該取付部４Ａの外周側に突出するように一体に取り付けられている。また、この連結部４Ｃも、一対の連結部４Ｃが、取付部４Ａがなす円環の中心線Ｏを通る他の一の直径線（図中に二点鎖線で示す仮想線Ｍ）と該円環との交点部分に位置するようにして、取付部４Ａの上記中心線Ｏに対して互いに反対側に設けられている。
【００１７】
一方、装飾具本体１の上記一対の壁部２Ａには、これら一対の連結部４Ｃが各々連結される被連結部２Ｂが設けられている。これらの被連結部２Ｂも小径の円環状とされたものであって、壁部２Ｂの突端部に接合もしくは一体形成されることによって凹部２の内側に突き出すようにそれぞれ配設されている。しかして、宝石３を保持した保持部材４は、連結部４Ｃがそれぞれ壁部２Ａ側に向けられて、各被連結部２Ｂと互いの円環同士を僅かに緩く組み合わせて鎖状をなすように連結されることにより、宝石３の上面部３Ａが装飾具本体１の外側に向けられた状態で、凹部２内において両端の連結部４Ｃから吊り下げられるようにして、概ね上記仮想線Ｍの周りに揺動可能に装飾具本体１に支持される。
【００１８】
そして、この保持部材４において、上記爪部４Ｂが宝石３を挟み込む方向は、取付部４Ａがなす環の中心線Ｏ方向から見て、これら一対の連結部４Ｃ同士を結ぶ上記仮想線Ｍと略直交する方向とされている。特に、上述の通り一対の爪部４Ｂが上記一の直径線Ｌ方向に宝石３を挟み込むように配設された本実施形態の装飾具では、これら一の直径線Ｌと上記仮想線Ｍとが図４や図５に示すように中心線Ｏ上において直交させられている。
【００１９】
なお、上記重り部４Ｄは、保持部材４の取付部４Ａから下方に突出した宝石３の下面部３Ｂがなす円錐の母線に沿うようにして、上記一対の爪部４Ｂのそれぞれ下端から下側に向かうに従い上記中心線Ｏ側に向けて延び、該中心線Ｏ上の下面部３Ｂの下端において接続された、図３に示すようなＶ字状に形成されている。そして、この重り部４Ｄは、保持部材４において他の取付部４Ａや爪部４Ｂ、連結部４Ｃよりも厚肉に形成されていて、宝石３を保持した保持部材４の重心が、一対の連結部４Ｃ同士を結ぶ上記仮想線Ｍよりも宝石３の上記下面部３Ｂ側に位置するようにされている。
【００２０】
このように構成された実施形態の装飾具（指輪）においては、まず上記保持部材４が連結部４Ｃによって装飾具本体１に揺動自在に取り付けられており、この保持部材４に保持された宝石３も手や指の動きによって揺動しつつ煌めきを放つことになるので、宝石３自体が有する美しさに加えてさらに美観を増すことができ、周りの人の目を多く惹きつけることができる。
【００２１】
特に本実施形態では、上述のように保持部材４に重り部４Ｄが設けられていて、宝石３を含めた保持部材４の重心が揺動の中心となる上記仮想線Ｍよりも宝石３の下面部３Ｂ側に位置しているので、装飾具本体１を凹部２が上向きになるようにした状態では、保持部材４も宝石３の上面部３Ａ側がより確実に上向きとなるように支持されることになる。従って、このような状態では、上述のように装飾性の高い上面部３Ａを常に人目を惹く上側にしたまま宝石３を揺動させることができるので、一層効果的に周囲の注目を集めることが可能となる。
【００２２】
しかも、本実施形態の保持部材４では、円環状の取付部４Ａに下面部３Ｂが当接して宝石３が着座させられているため、この取付部４Ａによって宝石３の上面部３Ａが隠されるのを避けることができるとともに、上面部３Ａに引っ掛けられて宝石３を把持する爪部４Ｂも細くて小さいピン状のものであるので、この上面部３Ａの高い装飾性が保持部材４によって損なわれたりすることもない。また、このように爪部４Ｂが細小なピン状であるため、該爪部４Ｂによる把持によって宝石３が傷つけられたりするのも最小限に防ぐことが可能となる。
【００２３】
さらにまた、本実施形態ではこの保持部材４の一対の連結部４Ｃが丸カン等により環状に形成されるとともに、装飾具本体１側の凹部２における壁部２Ａに設けられる被連結部２Ｂも同様に環状であって、これらが鎖状に連結されることで保持部材４が装飾具本体１に揺動可能に支持されている。このため、宝石３および保持部材４が凹部２内において例えば上下反転するまで揺れ動いたりすることはなく、一層確実に上面部３Ａを上側に向けておくことができるとともに、宝石３が保持部材４ごと装飾具本体１から脱落してしまったりするのも防ぐことができる。
【００２４】
そして、さらに本発明の装飾具では、保持部材４においてこれら一対の連結部４Ｃを結ぶ仮想線Ｍと一対の爪部４Ｂが宝石３を挟み込む上記一の直径線Ｌ方向とが、取付部４Ａがなす環の中心線Ｏ方向に見て互いに略直交するように配設されている。このため、万一不用意に宝石３や保持部材４を凹部２の底側に押し付けてしまったり、あるいは逆に凹部２の外側に引っ張ってしまったりすると、連結部４Ｃが支持された取付部４Ａは、上記仮想線Ｍ方向に図４および図５に矢線Ａで示すように外向きに引っ張られる一方、上記一の直径線Ｌ方向には逆に取付部４Ａが矢線Ｂに示すように内向きに押圧される応力を受けることになる。すなわち、こうして宝石３や保持部材４が押し付けられたり引っ張られたりすると、本実施形態の円環状とされた取付部４Ａは、上記仮想線Ｍ上に長軸を、一の直径線Ｌ上に短軸を有する楕円形に変形するように応力を受ける。
【００２５】
ところが、この一の直径線Ｌ方向は一対の爪部４Ｂが設けられて宝石３を挟み込むことにより把持する方向であるので、このような応力が作用することにより宝石３はより強固に爪部４Ｂによって挟み込まれて保持部材４に保持されることになる。従って、本発明の装飾具によれば、上述のように装飾性を高めるために保持部材４を揺動自在に取り付けることにより、保持部材４自体は不安定となったとしても、単に宝石３や保持部材４を押し付けたり引っ張ったりした程度では、宝石３が保持部材４から容易に外れることがなくなるので、上述のように保持部材４の脱落が防がれることとも相俟って、高価な宝石３を紛失してしまったりするような事態を防止することが可能となる。
【００２６】
なお、本実施形態では上述のように一対の爪部４Ｂを一の直径線Ｌ上に配置して宝石３を把持するようにしているが、例えばこの一の直径線Ｌと環状の取付部４Ａとの少なくとも一方の交点部分では該直径線Ｌを中心に複数の爪部４Ｂを設けて、対向する爪部４Ｂとの間で宝石３を挟み込むようにしてもよい。また、取付部４Ａがなす環の形状も、着座させられる宝石３の形状に合わせて、楕円形の環状としたり、方形や菱形あるいは五角形以上の多角形の環状としたりすることもできる。さらに、本実施形態では本発明を指輪に適用した場合について説明したが、ネックレスやブローチ、ブレスレットなど、他の種の装飾具にも本発明を適用することは勿論可能である。
【図面の簡単な説明】
【００２７】
【図１】本発明を指輪に適用した場合の一実施形態を示す側面図である。
【図２】図１に示す実施形態における凹部２周辺の拡大側面図である。
【図３】図１に示す実施形態における宝石３を保持した保持部材４を仮想線Ｍ方向から見た拡大側面図である。
【図４】図１に示す実施形態における宝石３を保持した保持部材４と壁部２Ａ側の被連結部２Ｂの拡大平面図である。
【図５】図１に示す実施形態における宝石３を保持した保持部材４と壁部２Ａ側の被連結部２Ｂを中心線Ｏ方向下側から見た拡大底面図である。
【符号の説明】
【００２８】
１  装飾具本体
２  凹部
２Ａ  凹部２の壁部
２Ｂ  被連結部
３  宝石
３Ａ  宝石３の上面部
３Ｂ  宝石３の下面部
４  保持部材
４Ａ  取付部
４Ｂ  爪部
４Ｃ  連結部
４Ｄ  重り部
Ｏ  取付部４Ａがなす環の中心線
Ｌ  一対の爪部４Ｂが配設される環状の取付部４Ａの一の直径線
Ｍ  一対の連結部４Ｃ同士を結ぶ仮想線
【図１】
2007061351.tif 000003
【図２】
2007061351.tif 000004
【図３】
2007061351.tif 000005
【図４】
2007061351.tif 000006
【図５】
2007061351.tif 000007